(57)【要約】【課題】  屋上がほぼ平らな無落雪屋根の建造物に太陽電池等を取り付ける取付構造において、既存の屋根に後から取付けられ、屋根材を傷めるおそれが無く、屋根材に対して確実に強固に架台を固定する取付構造を提供する。【解決手段】  長尺鋼板屋根材の複数のハゼの上を渡る長さの梁折板10を設け、梁折板10の両端の山部裾野間に渡り開止め板15を設け、載置架台21をハゼの間に設け、載置架台21は開止め板15底面に接してそれを支え、梁折板10の上に細長い複数の巾止金物５を固定し、巾止金物５の下部に垂直方向の薄い板である固定用薄板31を固定し、固定用薄板31の外方のハゼ41にハゼ固定用金物22を固定し、固定用薄板31をそのハゼ固定用金物22と固定し、固定用薄板31の座屈強度を吊子の座屈強度より小とし、梁折板10または巾止金物５に太陽電池等の架台を取り付けた。【選択図】図１０
2011168952.tif 000002
【特許請求の範囲】
【請求項１】
長尺鋼板屋根材のハゼと野地板の間を吊子が連結する長尺鋼板屋根材による屋根への架台の取付構造において、長尺鋼板屋根材の複数のハゼの上を渡る長さの梁折板を設け、梁折板は水平な複数の山部と水平な谷部を有する折板形状で、長尺鋼板屋根材のハゼと梁折板の山部が平面視で直交し、梁折板の両端の山部裾野間に渡り梁折板の下方を塞ぎ梁折板の両端の山部裾野間が広がるのを防ぐ略水平方向の板である開止め板を設け、開止め板は長尺鋼板屋根材のハゼの上方に位置し梁折板の谷部底面に接し、長尺鋼板屋根材の一対のハゼを除く部分よりやや狭い幅の載置架台をハゼの間に設け、載置架台の高さは長尺鋼板屋根材のハゼの高さ以上とし、載置架台は長尺鋼板屋根材の一対のハゼを除く部分に載り開止め板底面に接してそれを支え、梁折板の上に細長い複数の巾止金物を固定し、複数の巾止金物は長尺鋼板屋根材のハゼと平行でその上方に位置し、巾止金物の梁折板の両端の山部裾野より外方で巾止金物の下部に垂直方向の薄い板である一対の固定用薄板を固定し、一対の固定用薄板の外方のハゼに一対のハゼ固定用金物を固定し、一対の固定用薄板をそのハゼ固定用金物と固定し、固定用薄板の座屈強度を吊子の座屈強度より小とし、梁折板または巾止金物に太陽電池等の架台を取り付けた太陽電池等の屋根への取付構造。
【請求項２】
長尺鋼板屋根材のハゼと野地板の間を吊子が連結する長尺鋼板屋根材による屋根への架台の取付構造において、長尺鋼板屋根材の一対のハゼを除く部分よりやや狭い幅の梁折板を設け、梁折板は水平な複数の山部と水平な谷部を有する折板形状で、長尺鋼板屋根材のハゼと梁折板の山部が平面視で平行に位置し、梁折板の両端の山部裾野間に渡り梁折板の下方を塞ぎ梁折板の両端の山部裾野間が広がるのを防ぐ略水平方向の板である開止め板を設け、開止め板は長尺鋼板屋根材の一対のハゼを除く部分に載り梁折板の谷部底面に接して梁折板を支え、梁折板の上に細長い複数の巾止金物を固定し、複数の巾止金物は長尺鋼板屋根材のハゼと直交してその上方に位置し、巾止金物の梁折板の両端の山部裾野より外方で巾止金物の下部に垂直方向の薄い板である一対の固定用薄板を固定し、一対の固定用薄板の外方のハゼに一対のハゼ固定用金物を固定し、一対の固定用薄板をそのハゼ固定用金物と固定し、固定用薄板の座屈強度を吊子の座屈強度より小とし、梁折板または巾止金物に太陽電池等の架台を取り付けた太陽電池等の屋根への取付構造。
【発明の詳細な説明】
【技術分野】
【０００１】
本発明は、屋上がほぼ平らな無落雪屋根の建造物に太陽電池モジュールや雪庇発生防止装置等を取り付ける取付構造に関する。
【背景技術】
【０００２】
太陽電池は地球環境の点からも注目され普及が進んでいる。その太陽電池モジュールの設置は、通常は南向きの傾斜した屋根に沿って並べられる。その屋根の長尺鋼板屋根材への取付構造は、種々の方法が提案されている。
【０００３】
例えば特許第３２２０８３３号公報に示されるように、下地材と、該下地材に立設された複数の吊子と、前記下地材上に載置された複数枚の下位屋根板と、該下位屋根板とほぼ同じ幅寸法を有し、該下位屋根板の上に重ねて配置された複数枚の上位屋根板とを備え、２枚重ねた下位屋根板と上位屋根板の側部を、これらに隣接する２枚重ねた下位屋根板と上位屋根板の側部とともに前記吊子に固着し、前記上位屋根板に太陽電池モジュール板の部材を取り付けるための取付金具を取り付けたものが知られている。
【０００４】
この太陽電池モジュールの取付構造は、上位屋根板と下位屋根板とによって２重防水構造とし、この上位屋根板に、取付金具を取り付けて、屋根に太陽電池部材を取り付けることができるようにしたので、上位屋根板の取付金具の取付部から雨水が浸入しても、この雨水は、下位屋根板に導かれるため、雨漏りを防止することができるものである。
【０００５】
また、比較的平らな屋根の長尺鋼板屋根材の場合は、太陽電池モジュールを地球の緯度に合わせた傾斜の架台に取り付けている。
【０００６】
例えば特許第３３８２２０６号公報に示されるように、折版屋根の上面に南方向に向けて太陽電池モジュールを取り付ける構造において、太陽電池モジュールの架台の下面部に複数の取り付け部を設け、各取り付け部の前後両側に前側ボルト孔と後側ボルト孔とをそれぞれ設けると共に、折版屋根の山部に対して固定される複数の固定ベースを前側ボルト孔及び後側ボルト孔に対してそれぞれ取付ボルトにより回転自在に取り付け、前側ボルト孔に取り付けられる固定ベースと後側ボルト孔に取り付けられる固定ベースとの間の距離を可変自在とするものが知られている。
【０００７】
この太陽電池モジュールの取付構造は、固定ベースに対して取り付け部を回転させることで、固定ベースが固定される折版屋根の山部の方向とは異なる方向に取り付け部を向けることができ、しかも、前側ボルト孔に取り付けられる固定ベースと後側ボルト孔に取り付けられる固定ベースとの間の距離を変えることで、山部の間隔に関係なく、固定ベースがいずれか１つの山部に取り付け可能となるものである。
【０００８】
また降雪地域では、冬期間に傾斜させて設置した太陽電池モジュールの上に雪が積もると、太陽光が太陽電池セルに届かず、発電することができない。そのため、太陽電池セルを垂直に架台に設置して積雪しないようする場合がある。傾斜の架台に取り付ける場合にも、傾斜の架台に取り付けた太陽電池セルからの落雪で埋もれないように足の長い架台に取り付けている。
【０００９】
一方、降雪地域では、降雪時に一定方向の季節風（主に北西風）があると、屋上がほぼ平らな無落雪屋根の建造物風下側の上縁部分に屋上の積雪が迫り出してきて雪庇が発生する。この雪庇は、屋上を吹き越す風がその建造物の風下側で風速を落して下方に向かって巻き込む渦となり、運ばれてきた雪がその粘着性によって屋上の積雪に付着することにより発生するもので、それは徐々に風下に向かって成長してゆく。大きく成長した雪庇は、自重により落下するので通行人や通過する車両に危害や損害を与えることがある。
【００１０】
このような、雪庇による危害や損害を防止するため、屋上の南端から東端にかけて取り付ける雪庇発生防止装置が知られている。
【００１１】
例えば、特許第３７３１１２４号公報に示されるように、傾斜面を風上側に向けた状態で設置される雪庇発生防止装置において、上記傾斜面が、水平面より45°〜60°程度起立した下部傾斜板と、その上方に連続し水平面より75°〜80°程度起立した上部傾斜板とからなるものである。
【００１２】
この雪庇発生防止装置は、傾斜面に誘導された風をスムーズに上方に向け、その風速を速め、これによって建造物の風下で発生する渦の位置を壁面から離して雪庇の発生を防止する。
【００１３】
なお、雪庇は建造物の屋上の少なくとも風下側一端に発生するから、雪庇発生防止装置は所定長さのものを建造物の屋上の少なくとも風下側一端の全幅に渡り一列に複数個設けられる。また、雪庇発生防止装置の風下側はほぼ垂直な平らな面として巻き込む雪や通常に降る雪の付着を防止する。さらに、風圧を受けることを前提に設置されるものであり、その下部が建造物の笠木に対して確実に強固に固定される。
【００１４】
また一方、降雪地域では、傾斜した長尺鋼板屋根材葺き屋根からの落雪を防ぐ雪止を、屋根の突起材（ハゼ）に取付ける雪止金具が知られている。
【００１５】
例えば、実公昭５０−３９６０６号公報に示されるように、倒Ｕ字状断面の広巾材の中央にＬ字状断面材のＬ字状の一辺が嵌入する縦の切込みを設け、該切込みの外側には一辺がＬ字状断面材の上面にかぶさり、他辺を広巾材内に挿入してその外側から締ボルトとナット等を有した締付具を貫通させたＬ字状材を設けると共に、切込みの反対側には広巾材の外側から締ボルトとナット等を有した締付具を貫通させ、且つその端部に直角な受板の取付板を突設し、広巾材の下面口部には左右交互に内方に突出した突片を夫々設けたものが知られている。
【００１６】
この雪止金具は、屋根表の突出片（ハゼ）に強力に取付いた広巾材に長いＬ字状断面材を個々の突出片部で強固に支持し、その取り付けが簡単でしかも確実なものである。
【先行技術文献】
【特許文献】
【００１７】
【特許文献１】特許第３２２０８３３号公報
【特許文献２】特許第３３８２２０６号公報
【特許文献３】特許第３７３１１２４号公報
【特許文献４】実公昭５０−３９６０６号公報
【発明の概要】
【発明が解決しようとする課題】
【００１８】
降雪地域で屋上が水勾配でほぼ平らな無落雪屋根の建造物に、上記の太陽電池セルを垂直に架台に設置して積雪しないようする場合や、傾斜の架台に取り付けた太陽電池セルからの落雪で埋もれないように足の長い架台に取り付ける場合には、太陽電池モジュールが台風のような強風にあおられるため、長尺鋼板屋根材に対して確実に強固に架台を固定することが必要となる。
【００１９】
雪庇発生防止装置は風圧を受けることを前提に設置されるものであり、笠木の無い建造物の場合には、長尺鋼板屋根材そのものに架台を取り付け、その架台に雪庇発生防止装置を設置するが、雪庇発生防止装置が台風のような強風にあおられるため、長尺鋼板屋根材に対して確実に強固に架台を固定することが必要となる。
【００２０】
上記した特許第３２２０８３３号公報に記載された「上位屋根板」の技術に架台を取り付けることが考えられるが、この技術は「２枚重ねた下位屋根板と上位屋根板の側部を、これらに隣接する２枚重ねた下位屋根板と上位屋根板の側部とともに前記吊子に固着」するもので、既存の屋根に後から架台を固定することができない。
【００２１】
また、上記した実公昭５０−３９６０６号公報に記載された「雪止金具」の技術に架台を取り付けることが考えられるが、架台が強風にあおられるとモーメント力により雪止金具には上下方向の力が加わることになる。長尺鋼板屋根材のハゼは野地板に固定された薄い鋼板製の吊子に支持され、長尺鋼板屋根材と野地板の間には断熱材として押出発泡スチレンボード等の柔らかく変形しやすい素材が介在しているため、上方への力には吊子が伸びる方向であるため比較的耐えられるが、下方への力が局部的に加わると吊子が縮む方向であるため座屈して長尺鋼板屋根材も変形して窪んでしまうおそれが有る。
【００２２】
そこで本発明は、既存の屋根に後から取付けられ、屋根材を傷めるおそれが無く、屋根材に対して確実に強固に架台を固定する、太陽電池等の屋根への取付構造を提供することを目的とする。
【課題を解決するための手段】
【００２３】
請求項１の発明の太陽電池等の屋根への取付構造は、長尺鋼板屋根材40のハゼ41と野地板46の間を吊子43が連結する長尺鋼板屋根材40による屋根への架台４，７の取付構造において、長尺鋼板屋根材40の複数のハゼ41の上を渡る長さの梁折板10を設け、梁折板10は水平な複数の山部11と水平な谷部12を有する折板形状で、長尺鋼板屋根材40のハゼ41と梁折板10の山部11が平面視で直交し、梁折板10の両端の山部裾野14間に渡り梁折板10の下方を塞ぎ梁折板10の両端の山部裾野14間が広がるのを防ぐ略水平方向の板である開止め板15を設け、開止め板15は長尺鋼板屋根材40のハゼ41の上方に位置し梁折板10の谷部12底面に接し、長尺鋼板屋根材40の一対のハゼ41を除く部分よりやや狭い幅の載置架台21をハゼ41の間に設け、載置架台21の高さは長尺鋼板屋根材40のハゼ41の高さ以上とし、載置架台21は長尺鋼板屋根材40の一対のハゼ41を除く部分に載り開止め板15底面に接してそれを支え、梁折板10の上に細長い複数の巾止金物５，８を固定し、複数の巾止金物５，８は長尺鋼板屋根材40のハゼ41と平行でその上方に位置し、巾止金物５，８の梁折板10の両端の山部裾野14より外方で巾止金物５，８の下部に垂直方向の薄い板である一対の固定用薄板31を固定し、一対の固定用薄板31の外方のハゼ41に一対のハゼ固定用金物22を固定し、一対の固定用薄板31をそのハゼ固定用金物22と固定し、固定用薄板31の座屈強度を吊子43の座屈強度より小とし、梁折板10または巾止金物５，８に太陽電池等の架台４，７を取り付けたものである。
【００２４】
請求項２の発明の太陽電池等の屋根への取付構造は、長尺鋼板屋根材40のハゼ41と野地板46の間を吊子43が連結する長尺鋼板屋根材40による屋根への架台４，７の取付構造において、長尺鋼板屋根材40の一対のハゼ41を除く部分よりやや狭い幅の梁折板10を設け、梁折板10は水平な複数の山部11と水平な谷部12を有する折板形状で、長尺鋼板屋根材40のハゼ41と梁折板10の山部11が平面視で平行に位置し、梁折板10の両端の山部裾野14間に渡り梁折板10の下方を塞ぎ梁折板10の両端の山部裾野14間が広がるのを防ぐ略水平方向の板である開止め板15を設け、開止め板15は長尺鋼板屋根材40の一対のハゼ41を除く部分に載り梁折板10の谷部12底面に接して梁折板10を支え、梁折板10の上に細長い複数の巾止金物５，８を固定し、複数の巾止金物５，８は長尺鋼板屋根材40のハゼ41と直交してその上方に位置し、巾止金物５，８の梁折板10の両端の山部裾野14より外方で巾止金物５，８の下部に垂直方向の薄い板である一対の固定用薄板32を固定し、一対の固定用薄板32の外方のハゼ41に一対のハゼ固定用金物23を固定し、一対の固定用薄板32をそのハゼ固定用金物23と固定し、固定用薄板32の座屈強度を吊子43の座屈強度より小とし、梁折板10または巾止金物５，８に太陽電池等の架台４，７を取り付けたものである。
【発明の効果】
【００２５】
請求項１の発明によれば、長尺鋼板屋根材40の複数のハゼ41の上を渡る長さの梁折板10を設け、梁折板10は水平な複数の山部11と水平な谷部12を有する折板形状で、長尺鋼板屋根材40のハゼ41と梁折板10の山部11が平面視で直交し、梁折板10の両端の山部裾野14間に渡り梁折板10の下方を塞ぎ梁折板10の両端の山部裾野14間が広がるのを防ぐ略水平方向の板である開止め板15を設け、開止め板15は長尺鋼板屋根材40のハゼ41の上方に位置し梁折板10の谷部12底面に接し、長尺鋼板屋根材40の一対のハゼ41を除く部分よりやや狭い幅の載置架台21をハゼ41の間に設け、載置架台21の高さは長尺鋼板屋根材40のハゼ41の高さ以上とし、載置架台21は長尺鋼板屋根材40の一対のハゼ41を除く部分に載り開止め板15底面に接してそれを支え、梁折板10の上に細長い複数の巾止金物５，８を固定し、複数の巾止金物５，８は長尺鋼板屋根材40のハゼ41と平行でその上方に位置し、巾止金物５，８の梁折板10の両端の山部裾野14より外方で巾止金物５，８の下部に垂直方向の薄い板である一対の固定用薄板31を固定し、一対の固定用薄板31の外方のハゼ41に一対のハゼ固定用金物22を固定し、一対の固定用薄板31をそのハゼ固定用金物22と固定したから、載置架台21とハゼ固定用金物22で長尺鋼板屋根材40に接することになり、既存の屋根に後から取付けられる。
【００２６】
また、固定用薄板31の座屈強度を吊子43の座屈強度より小としたから、下方への力が局部的に加わっても固定用薄板31が変形することになり、吊子43が座屈して長尺鋼板屋根材40も変形して窪んでしまうことが無く、屋根材を傷めるおそれが無い。
【００２７】
また、巾止金物５，８の梁折板10の両端の山部裾野14より外方で巾止金物５，８の下部に垂直方向の薄い板である一対の固定用薄板31を固定し、一対の固定用薄板31の外方のハゼ41に一対のハゼ固定用金物22を固定し、一対の固定用薄板31をそのハゼ固定用金物22と固定したから、上方への力には吊子43と固定用薄板31が伸びる方向であるため耐えられる。さらに、長尺鋼板屋根材40の一対のハゼ41を除く部分よりやや狭い幅の載置架台21をハゼ41の間に設け、載置架台21の高さは長尺鋼板屋根材40のハゼ41の高さ以上とし、載置架台21は長尺鋼板屋根材40の一対のハゼ41を除く部分に載り開止め板15底面に接してそれを支えるから、下方への力には広い面積の載置架台21が長尺鋼板屋根材40の一対のハゼ41を除く部分に接して支えることとなり、屋根材に対して確実に強固に架台４，７を固定できる。
【００２８】
請求項２の発明によれば、長尺鋼板屋根材40の一対のハゼ41を除く部分よりやや狭い幅の梁折板10を設け、梁折板10は水平な複数の山部11と水平な谷部12を有する折板形状で、長尺鋼板屋根材40のハゼ41と梁折板10の山部11が平面視で平行に位置し、梁折板10の両端の山部裾野14間に渡り梁折板10の下方を塞ぎ梁折板10の両端の山部裾野14間が広がるのを防ぐ略水平方向の板である開止め板15を設け、開止め板15は長尺鋼板屋根材40の一対のハゼ41を除く部分に載り梁折板10の谷部12底面に接して梁折板10を支え、梁折板10の上に細長い複数の巾止金物５，８を固定し、複数の巾止金物５，８は長尺鋼板屋根材40のハゼ41と直交してその上方に位置し、巾止金物５，８の梁折板10の両端の山部裾野14より外方で巾止金物５，８の下部に垂直方向の薄い板である一対の固定用薄板32を固定し、一対の固定用薄板32の外方のハゼ41に一対のハゼ固定用金物23を固定し、一対の固定用薄板32をそのハゼ固定用金物23と固定したから、開止め板15とハゼ固定用金物23で長尺鋼板屋根材40に接することになり、既存の屋根に後から取付けられる。
【００２９】
また、固定用薄板32の座屈強度を吊子43の座屈強度より小としたから、下方への力が局部的に加わっても固定用薄板32が変形することになり、吊子43が座屈して長尺鋼板屋根材40も変形して窪んでしまうことが無く、屋根材を傷めるおそれが無い。
【００３０】
また、巾止金物５，８の梁折板10の両端の山部裾野14より外方で巾止金物５，８の下部に垂直方向の薄い板である一対の固定用薄板32を固定し、一対の固定用薄板32の外方のハゼ41に一対のハゼ固定用金物23を固定し、一対の固定用薄板32をそのハゼ固定用金物23と固定したから、上方への力には吊子43と固定用薄板32が伸びる方向であるため耐えられる。さらに、長尺鋼板屋根材40の一対のハゼ41を除く部分よりやや狭い幅の梁折板10を設け、梁折板10は水平な複数の山部11と水平な谷部12を有する折板形状で、長尺鋼板屋根材40のハゼ41と梁折板10の山部11が平面視で平行に位置し、梁折板10の両端の山部裾野14間に渡り梁折板10の下方を塞ぎ梁折板10の両端の山部裾野14間が広がるのを防ぐ略水平方向の板である開止め板15を設け、開止め板15は長尺鋼板屋根材40の一対のハゼ41を除く部分に載り梁折板10の谷部12底面に接して梁折板10を支えるから、下方への力には広い面積の開止め板15が長尺鋼板屋根材40の一対のハゼ41を除く部分に接して支えることとなり、屋根材に対して確実に強固に架台４，７を固定できる。
【図面の簡単な説明】
【００３１】
【図１】図１は太陽電池等の屋根への取付構造の実施例１を示す一部を切り欠いた側面図である。
【図２】図２は図１の要部拡大図である
【図３】図３は図２の平面図である。
【図４】図４は図２の要部を示す図である。
【図５】図５は太陽電池等の屋根への取付構造の実施例２を示す平面図である。
【図６】図６は図５の要部拡大図である
【図７】図７は図６の正面図である。
【図８】図８は図６の側面図である。
【図９】図９は太陽電池等の屋根への取付構造の実施例３を示す要部拡大平面図である。
【図１０】図１０は図９の側面図である。
【図１１】図１１は梁折板の断面図である。
【図１２】図１２は開止め板の断面図である。
【図１３】図１３は長尺鋼板屋根材を用いた屋根の断面図である。
【発明を実施するための形態】
【００３２】
既存の屋根に後から取付けられ、屋根材を傷めるおそれが無く、屋根材に対して確実に強固に架台４，７を固定する、太陽電池等の屋根への取付構造を提供する目的を、長尺鋼板屋根材40のハゼ41と野地板46の間を吊子43が連結する長尺鋼板屋根材40による屋根への架台４，７の取付構造において、長尺鋼板屋根材40の複数のハゼ41の上を渡る長さの梁折板10を設け、梁折板10は水平な複数の山部11と水平な谷部12を有する折板形状で、長尺鋼板屋根材40のハゼ41と梁折板10の山部11が平面視で直交し、梁折板10の両端の山部裾野14間に渡り梁折板10の下方を塞ぎ梁折板10の両端の山部裾野14間が広がるのを防ぐ略水平方向の板である開止め板15を設け、開止め板15は長尺鋼板屋根材40のハゼ41の上方に位置し梁折板10の谷部12底面に接し、長尺鋼板屋根材40の一対のハゼ41を除く部分よりやや狭い幅の載置架台21をハゼ41の間に設け、載置架台21の高さは長尺鋼板屋根材40のハゼ41の高さ以上とし、載置架台21は長尺鋼板屋根材40の一対のハゼ41を除く部分に載り開止め板15底面に接してそれを支え、梁折板10の上に細長い複数の巾止金物５，８を固定し、複数の巾止金物５，８は長尺鋼板屋根材40のハゼ41と平行でその上方に位置し、巾止金物５，８の梁折板10の両端の山部裾野14より外方で巾止金物５，８の下部に垂直方向の薄い板である一対の固定用薄板31を固定し、一対の固定用薄板31の外方のハゼ41に一対のハゼ固定用金物22を固定し、一対の固定用薄板31をそのハゼ固定用金物22と固定し、固定用薄板31の座屈強度を吊子43の座屈強度より小とし、梁折板10または巾止金物５，８に太陽電池等の架台４，７を取り付けることで実現した。
【００３３】
また、長尺鋼板屋根材40のハゼ41と野地板46の間を吊子43が連結する長尺鋼板屋根材40による屋根への架台４，７の取付構造において、長尺鋼板屋根材40の一対のハゼ41を除く部分よりやや狭い幅の梁折板10を設け、梁折板10は水平な複数の山部11と水平な谷部12を有する折板形状で、長尺鋼板屋根材40のハゼ41と梁折板10の山部11が平面視で平行に位置し、梁折板10の両端の山部裾野14間に渡り梁折板10の下方を塞ぎ梁折板10の両端の山部裾野14間が広がるのを防ぐ略水平方向の板である開止め板15を設け、開止め板15は長尺鋼板屋根材40の一対のハゼ41を除く部分に載り梁折板10の谷部12底面に接して梁折板10を支え、梁折板10の上に細長い複数の巾止金物５，８を固定し、複数の巾止金物５，８は長尺鋼板屋根材40のハゼ41と直交してその上方に位置し、巾止金物５，８の梁折板10の両端の山部裾野14より外方で巾止金物５，８の下部に垂直方向の薄い板である一対の固定用薄板32を固定し、一対の固定用薄板32の外方のハゼ41に一対のハゼ固定用金物23を固定し、一対の固定用薄板32をそのハゼ固定用金物23と固定し、固定用薄板32の座屈強度を吊子43の座屈強度より小とし、梁折板10または巾止金物５，８に太陽電池等の架台４，７を取り付けることで実現した。
【実施例１】
【００３４】
図１から４は、本発明の実施例１に係る太陽電池等の屋根への取付構造である。
【００３５】
建造物の水勾配でほぼ平らな無落雪屋根として、長尺鋼板屋根材40が蟻掛葺の物を示している。蟻掛葺の長尺鋼板屋根材40とは、立平葺形状の中央にリブ42を設けたもので、立平葺より強度が高く積雪荷重により耐えられるものである。
【００３６】
長尺鋼板屋根材40は図１３に示すように、間隔を開けた屋根垂木47の上に野地板46を隙間無く敷き、野地板46の上にハゼ吊子43と中間吊子44を固定し、ハゼ吊子43と中間吊子44の間に断熱材45として押出発泡スチレンボードを敷き詰め、その上に長尺鋼板屋根材40を載せ、そのリブ42を中間吊子44にはめ込み、長尺鋼板屋根材40のハゼ41とハゼ吊子43をカシメて固定する。このことにより、長尺鋼板屋根材40のハゼ41と野地板46の間を吊子43が連結することになる。
【００３７】
太陽電池等として、太陽電池モジュール２と雪庇発生防止装置３を兼用した太陽電池付雪庇発生防止装置１を示している。屋根端部上に側面視が略三角形状の架台４を設け、架台４の外方は垂直として太陽電池モジュール２を垂直に設置する。架台４のその他の面は雪庇発生防止装置３として薄い鋼板で覆われる。
【００３８】
次に、長尺鋼板屋根材40による屋根への架台４の取付構造を説明する。
【００３９】
図１１に示すような、長尺鋼板屋根材40の複数のハゼ41の上を渡る長さの梁折板10を設ける。
【００４０】
梁折板10は水平な複数の山部11と水平な谷部12を有し、その山部11と谷部12の間を斜めに繋ぐ傾斜板13とによる折板形状で、梁折板10の両端の山部11から斜め下方への山部裾野14を形成する。実施例では、山部11を３個、谷部12を２個設け、谷部12の長さを山部11より長くしている。なお、梁折板10には風による吹き上げを防ぐ通風のためのパンチ孔を多数設けても良い。
【００４１】
長尺鋼板屋根材40のハゼ41の方向と梁折板10の山部11の方向が平面視で直交し、複数のハゼ41の上を渡る所要の長さとする。
【００４２】
図１２に示すような、梁折板10の両端の山部裾野14間に渡る開止め板15を設ける。
【００４３】
開止め板15は、略水平方向の板で梁折板10と同じ長さとする。開止め板15の両端部は上方に折り曲げられた係止部17とし、係止部17と梁折板10の山部裾野14はリベットで固定される。開止め板15の中央部は上方に凸な逃げ部18とし、係止部17と逃げ部18の間は水平方向の板である水平部16とする。
【００４４】
これにより、開止め板15は梁折板10の下方を塞ぎ、梁折板10に下方への力が加わったときに両端の山部裾野14間が広がるのを防ぐ。また、開止め板15は梁折板10と同様に長尺鋼板屋根材40のハゼ41の上方に位置し、水平部16が梁折板10の谷部12底面に接する。
【００４５】
長尺鋼板屋根材40のハゼ41とリブ42の間に、それよりやや狭い幅で、梁折板10の山部裾野14間の距離よりやや長い載置架台21を設ける。つまり、一対のハゼ41の間に２個の載置架台21を設ける。リブ42の無い立平葺の場合は、長尺鋼板屋根材40の一対のハゼ41を除く部分よりやや狭い幅の載置架台21をハゼ41の間に１個設ける。
【００４６】
載置架台21の高さは長尺鋼板屋根材40のハゼ41の高さ以上とし、載置架台21は長尺鋼板屋根材40の一対のハゼ41を除く部分に載り、開止め板15底面に接してそれと共に梁折板10を支える。
【００４７】
なお、載置架台21は雨水の流れを妨げない通水性を持たせると良い。
【００４８】
梁折板10の上に細長い複数の巾止金物５を固定する。複数の巾止金物５は長尺鋼板屋根材40のハゼ41と平行でその上方に位置し、巾止金物５は等辺山形鋼のように強度のある細長い部材で梁折板10の変形を防ぎ、巾止金物５一端を延長してそれに太陽電池等の架台４を固定する。
【００４９】
巾止金物５には、梁折板10の両端の山部裾野14より外方で、巾止金物５の下部から下方に一対の固定用薄板31を固定する。固定用薄板31は垂直方向部分を有する倒立Ｌの字状の薄い板であり、圧縮時には座屈して容易にたわみ、引張力は伝えるようにする。実施例では、厚さ0.35mm、幅が70mmとした。
【００５０】
一対の固定用薄板31の外方のハゼ41に、一対のハゼ固定用金物22を固定する。
【００５１】
ハゼ固定用金物22は雪止金具様のもので、正面視が倒立Ｕの字形状、平面視がＴの字形状で一端に一対の取付部を設けているものであり、そのボルトを締めこむことにより長尺鋼板屋根材40のハゼ41に確実に強固に固定する。一対の固定用薄板31をそのハゼ固定用金物22の取付部と固定する。
【００５２】
ここで、固定用薄板31のたわむ座屈強度を吊子43の座屈強度より小としたから、巾止金物５へ加わった下方への力をハゼ41に伝えない。
【実施例２】
【００５３】
図５から８は、本発明の実施例２に係る太陽電池等の屋根への取付構造である。
【００５４】
ここで、実施例１と同じ番号で示しているものは実施例１と同じであり、説明を省略する。
【００５５】
建造物の屋根として示すのは、図１３に示すように実施例１と同じである。
【００５６】
太陽電池等として、太陽電池モジュールを傾斜させて設置するための架台の柱を支える台座７のみを示し、台座７を複数取り付けた架台受６を並行に複数設けている。
【００５７】
次に、長尺鋼板屋根材40による屋根への台座７の取付構造を説明する。
【００５８】
図１１に示すような、長尺鋼板屋根材40の一対のハゼ41を除く部分よりやや狭い幅の梁折板10を設ける。
【００５９】
長尺鋼板屋根材40のハゼ41の方向と梁折板10の山部11の方向が平面視で平行に位置し、複数の台座７を設けるのに必要な所要の長さとする。梁折板10に太陽電池モジュールの架台の複数の台座７を取り付ける。
【００６０】
図１２に示すような、梁折板10の両端の山部裾野14間に渡る開止め板15を設ける。
【００６１】
開止め板15の中央部は上方に凸な逃げ部18とし、長尺鋼板屋根材40のリブ42と接触しないようにする。
【００６２】
開止め板15は長尺鋼板屋根材40の一対のハゼ41を除く部分に載り梁折板10の谷部12底面に接して梁折板10を支える。
【００６３】
梁折板10の上に細長い複数の巾止金物８を固定する。複数の巾止金物８は長尺鋼板屋根材40のハゼ41と直交してその上方に位置し、巾止金物８は等辺山形鋼のように強度のある細長い部材で梁折板10の変形を防ぎ、その長さは梁折板10の両端の山部裾野14よりやや長くする。
【００６４】
巾止金物８の両端部には、梁折板10の両端の山部裾野14より外方で、巾止金物８の下部から下方に一対の固定用薄板32を固定する。固定用薄板32は垂直方向部分を有する倒立Ｌの字状の薄い板であり、圧縮時には座屈して容易にたわみ、引張力は伝えるようにする。実施例では、厚さ0.35mm、幅が70mmとした。
【００６５】
一対の固定用薄板32の外方のハゼ41に、一対のハゼ固定用金物23を固定する。
【００６６】
ハゼ固定用金物23は雪止金具様のもので、正面視が倒立Ｕの字形状であり、そのボルトを締めこむことにより長尺鋼板屋根材40のハゼ41に確実に強固に固定する。一対の固定用薄板32をそのハゼ固定用金物23の締め付けボルトで共締めして固定する。
【００６７】
ここで、固定用薄板32のたわむ座屈強度を吊子43の座屈強度より小としたから、巾止金物８へ加わった下方への力をハゼ41に伝えない。
【実施例３】
【００６８】
図９から１０は、本発明の実施例３に係る太陽電池等の屋根への取付構造である。
【００６９】
ここで、実施例１または２と同じ番号で示しているものは実施例１または２と同じであり、説明を省略する。
【００７０】
建造物の屋根として示すのは、図１３に示すように実施例１と同じである。
【００７１】
太陽電池等として、太陽電池モジュールを傾斜させて設置するための架台の柱を支える台座７のみを示し、台座７を複数取り付けた架台受９を並行に複数設けている。
【００７２】
次に、長尺鋼板屋根材40による屋根への台座７の取付構造を説明する。
【００７３】
図１１に示すような、長尺鋼板屋根材40の複数のハゼ41の上を渡る長さの梁折板10を設ける。
【００７４】
長尺鋼板屋根材40のハゼ41の方向と梁折板10の山部11の方向が平面視で直交し、複数のハゼ41の上を渡る所要の長さとする。
【００７５】
図１２に示すような、梁折板10の両端の山部裾野14間に渡る開止め板15を設ける。
【００７６】
開止め板15は梁折板10と同様に長尺鋼板屋根材40のハゼ41の上方に位置する。
【００７７】
長尺鋼板屋根材40のハゼ41とリブ42の間に、それよりやや狭い幅で、梁折板10の山部裾野14間の距離よりやや長い載置架台21を設ける。つまり、一対のハゼ41の間に２個の載置架台21を設ける。リブ42の無い立平葺の場合は、長尺鋼板屋根材40の一対のハゼ41を除く部分よりやや狭い幅の載置架台21をハゼ41の間に１個設ける。
【００７８】
載置架台21は長尺鋼板屋根材40の一対のハゼ41を除く部分に載り、開止め板15底面に接してそれと共に梁折板10を支える。
【００７９】
梁折板10の上に細長い複数の巾止金物８を固定する。複数の巾止金物８は長尺鋼板屋根材40のハゼ41と平行でその上方に位置し、その長さは梁折板10の両端の山部裾野14よりやや長くする。
【００８０】
巾止金物８の両端部には、梁折板10の両端の山部裾野14より外方で、巾止金物８の下部から下方に一対の固定用薄板31を固定する。固定用薄板31は垂直方向部分を有する倒立Ｌの字状の薄い板であり、圧縮時には座屈して容易にたわみ、引張力は伝えるようにする。実施例では、厚さ0.35mm、幅が70mmとした。
【００８１】
一対の固定用薄板31の外方のハゼ41に、一対のハゼ固定用金物22を固定する。
【００８２】
一対の固定用薄板31をそのハゼ固定用金物22の取付部と固定する。
【００８３】
ここで、固定用薄板31のたわむ座屈強度を吊子43の座屈強度より小としたから、巾止金物８へ加わった下方への力をハゼ41に伝えない。
【００８４】
以上の実施例では、長尺鋼板屋根材40として蟻掛葺の物を示したが、長尺鋼板屋根材40は立平葺や瓦棒葺のようにハゼ様のものと吊子様のもので野地板46に取付けられるものであれば良い。
【００８５】
また、太陽電池等として太陽電池モジュールと雪庇発生防止装置を示したが、太陽電池等とは看板のように屋根に強固に取り付ける必要のあるものであれば良い。
【００８６】
また、梁折板10として山部11と谷部12の間を斜めに繋ぐ傾斜板13とによる折板形状のものを示したが、山部11と谷部12の間を垂直な板で繋ぐものでも良い。
【００８７】
また、実施例２示した長尺鋼板屋根材40のハゼ41の方向と梁折板10の山部11の方向が平面視で平行に位置するものでは梁折板10に台座７を設ける例のみを示したが、巾止金物に架台を取り付けるようにしても良い。
【符号の説明】
【００８８】
４  架台
５  巾止金物
７  架台としての台座
８  巾止金物
10  梁折板
11  山部
12  谷部
14  山部裾野
15  開止め板
21  載置架台
22  ハゼ固定用金物
23  ハゼ固定用金物
31  固定用薄板
32  固定用薄板
40  長尺鋼板屋根材
41  ハゼ
43  吊子
46  野地板
【図１】
2011168952.tif 000003
【図２】
2011168952.tif 000004
【図３】
2011168952.tif 000005
【図４】
2011168952.tif 000006
【図５】
2011168952.tif 000007
【図６】
2011168952.tif 000008
【図７】
2011168952.tif 000009
【図８】
2011168952.tif 000010
【図９】
2011168952.tif 000011
【図１０】
2011168952.tif 000012
【図１１】
2011168952.tif 000013
【図１２】
2011168952.tif 000014
【図１３】
2011168952.tif 000015